(57)【要約】【課題】冷却媒体フィルムが壁面から剥離することを抑制することにより、壁面上におけるフィルム効率を高めて、壁面を効率的に冷却できるフィルム冷却構造を提供する。【解決手段】高温ガス（Ｇ）の通路（２）に臨む壁面（１）に、冷却媒体（Ｃ）を前記通路（２）に噴出する１対以上の噴出孔（５ａ，５ｂ）が設けられ、前記各対の噴出孔（５ａ，５ｂ）に前記冷却媒体（Ｃ）を供給する単一の供給通路（７）が壁内に形成され、前記各対の噴出孔（５ａ，５ｂ）の間に、これら噴出孔の後端（５ａａ，５ｂａ）よりも前方に位置し、前記供給通路（７）からの冷却媒体（Ｃ）を各対の噴出孔に振り分ける振り分け部（９）が形成され、各対の噴出孔からの冷却媒体が、これら冷却媒体を互いに前記壁面に押しつける方向の渦流（Ｓ１，Ｓ２）を形成するように、前記冷却媒体（Ｃ）の噴出方向が、前記高温ガス（Ｇ）の流れ方向に対して傾斜して設定されている。【選択図】図２
2011196360.tif 000002
【特許請求の範囲】
【請求項１】
高温ガスの通路に臨む壁面に、冷却媒体を前記通路に噴出する１対以上の噴出孔が設けられ、
前記各対の噴出孔に前記冷却媒体を供給する単一の供給通路が壁内に形成され、
前記各対の噴出孔の間に、これら噴出孔の後端よりも前方に位置し、前記供給通路からの冷却媒体を各対の噴出孔に振り分ける振り分け部が形成され、
各対の噴出孔からの冷却媒体が、これら冷却媒体を互いに前記壁面に押しつける方向の渦流を形成するように、前記冷却媒体の噴出方向が、前記高温ガスの流れ方向に対して傾斜して設定されているダブルジェット式フィルム冷却構造。
【請求項２】
請求項１において、前記振り分け部は、この振り分け部に衝突する冷却媒体の進入方向と直交する仮想直交面に対し、前記進入方向と直交する軸心回りに後方へ傾斜しているダブルジェット式フィルム冷却構造。
【請求項３】
請求項１または２において、前記１対の噴出孔からの前記冷却媒体の各噴出方向の、前記高温ガスの流れ方向に対する前記壁面に沿った水平方向噴出角度が、前記流れ方向を挟んで互いに反対方向を向くθ１に設定されているダブルジェット式フィルム冷却構造。
【請求項４】
請求項１から３のいずれか一項において、前記水平方向噴出角度θ１が５〜８５°の範囲にあるダブルジェット式フィルム冷却構造。
【請求項５】
請求項１から４のいずれか一項において、前記各噴出孔から前記高温ガス通路へ噴出される前記冷却媒体の噴出方向と前記壁面とがなす縦方向噴出角度θ２が５〜８５°の範囲にあるダブルジェット式フィルム冷却構造。
【請求項６】
請求項１から５のいずれか一項において、前記１対の噴出孔の、前記壁面に臨む開口における、前記振り分け部を除いた形状が、それぞれ、前記噴出方向を長軸とするほぼ楕円形状であり、これら２つの楕円形状の中心間隔が、前記供給通路の孔径Ｄに対して０〜２Ｄに設定されているダブルジェット式フィルム冷却構造。
【請求項７】
請求項１から６のいずれか一項において、前記供給通路の長さＬ１が、前記供給通路の孔径Ｄに対して０〜１０Ｄに設定されているダブルジェット式フィルム冷却構造。
【請求項８】
請求項１から７のいずれか一項において、前記供給通路の出口から前記１対の噴出孔の前記壁面に臨む開口までの距離Ｌ２が、前記供給通路の孔径Ｄに対して０．５〜６Ｄに設定されているダブルジェット式フィルム冷却構造。
【発明の詳細な説明】
【技術分野】
【０００１】
本発明は、ガスタービンエンジンにおける動翼、静翼、燃焼器の内筒などのように高温ガスの通路に臨む壁面に噴出孔を設け、この噴出孔から噴出される冷却媒体を壁面に沿って流すことによって壁面の冷却を行うフィルム冷却構造に関する。
【背景技術】
【０００２】
従来、ガスタービンエンジン（以下、単に「ガスタービン」という。）における動翼のような壁面には、同一方向を指向する多数の噴出孔が設けられ、これら噴出孔から噴出される空気のような冷却媒体のフィルム流により、高温ガスに曝される前記壁面を冷却する。このようなフィルム冷却構造として、例えば、冷却媒体の壁面への噴出口の中央部に、前記噴出孔の後端位置に底辺がある平面視でほぼ二等辺三角形状をなし、かつその頂点部分が上流側（前側）に位置するリブを設け、このリブにより冷却媒体を左右方向に分散させて、壁面の均一な冷却を図ることが提案されている（特許文献１）。
【先行技術文献】
【特許文献】
【０００３】
【特許文献１】特開２００８−２４８７３３号公報
【発明の概要】
【発明が解決しようとする課題】
【０００４】
上記の冷却構造では、リブが噴出孔の後端まで延び、かつ冷却媒体の流れ方向に沿って延びるリブの両側面に、壁面の内方から壁面にかけて両冷却媒体流の中央方向に向かって傾斜する傾斜面が形成されているので、リブによる冷却媒体流の分離が十分でない。つまり、冷却媒体はリブによって分離されて、左右一対の流れとなるが、その際にリブの傾斜した両側面に沿って、一部の冷却媒体が、リブの前端から後端まで、すなわち噴出孔の後端までの広い領域にわたって一対の冷却媒体流間の中央軸方向に向かってガイドされ、噴出孔の後端から前記中央方向へ向かって斜め後方へ噴出されるので、両冷却媒体流の分離が十分になされなくなる。この場合、両冷却媒体流間の低圧部に前記一部の冷却媒体が流れ込む結果、低圧部の圧力が上昇し、冷却媒体流が壁面から剥離し易くなるために、壁面上における冷却効率を示すフィルム効率が低くなる。ここで、フィルム効率とは、ηf,ad＝（Ｔｇ―Ｔｆ）／（Ｔｇ―Ｔｃ）であり、このとき、Ｔｇはガスの温度、Ｔｆは壁面の表面温度、Ｔｃは壁面上における冷却媒体の温度である。
【０００５】
そこで、本発明は、冷却媒体フィルムが壁面から剥離することを抑制することにより、ガスタービンの動，静翼などの壁面上におけるフィルム効率を高めて、壁面を効率的に冷却することができるフィルム冷却構造を提供することを目的とする。
【課題を解決するための手段】
【０００６】
上記目的を達成するために、本発明に係るダブルジェット式フィルム冷却構造は、高温ガスの通路に臨む壁面に、冷却媒体を前記通路に噴出する１対以上の噴出孔が設けられ、前記各対の噴出孔に前記冷却媒体を供給する単一の供給通路が壁内に形成され、前記各対の噴出孔の間に、これら噴出孔の後端よりも前方に位置し、前記供給通路からの冷却媒体を各対の噴出孔に振り分ける振り分け部が形成され、各対の噴出孔からの冷却媒体が、これら冷却媒体を互いに前記壁面に押しつける方向の渦流を形成するように、前記冷却媒体の噴出方向が、前記高温ガスの流れ方向に対して傾斜して設定されている。
【０００７】
この構成によれば、単一の供給通路を通った冷却媒体が、振り分け部により、１対の噴出孔に向かうように振り分けられる。このとき、振り分け部は噴出孔の後端よりも前方に位置しているから、振り分けられた後の冷却媒体が噴出孔の後部により規制されて、指向性の高い１対の直進流を形成する。この指向性の高い１対の直進流の間には、十分圧力の低い低圧部が生じるので、直進流が形成する渦流により、直進流の周りからこの低圧部に巻き込まれて壁面に向かう強い流れが形成される。このため、冷却媒体が壁面から剥離することが抑制され、壁面上におけるフィルム効率が高められて、壁面が効果的に冷却される。
【０００８】
前記振り分け部は、この振り分け部に衝突する冷却媒体の進入方向と直交する仮想直交面に対し、前記進入方向と直交する軸心回りに後方へ傾斜していることが好ましい。この構成によれば、振り分け部に衝突する冷却媒体が、各噴出孔の方向に均等に振り分けられる。その際、振り分け部には傾斜した側面が存在しないので、振り分けられた１対の冷却媒体の一部が冷却媒体の進行方向に沿った中央部に流出することが抑制されて、両冷却媒体の分離が十分になされる。その結果、冷媒の前記直進流間に確実に低圧部が形成され、渦流が冷却媒体の流れを強力に壁面に押し付ける。
【０００９】
前記１対の噴出孔からの前記冷却媒体の各噴出方向の、前記高温ガスの流れ方向に対する前記壁面上に沿った水平方向噴出角度が、前記流れ方向を挟んで互いに反対方向を向くθ１に設定されていることが好ましい。これにより、高温ガスの流れ方向に沿って、壁面上に冷却媒体のフィルム流が効果的に形成されて、フィルム効率が一層向上する。
【００１０】
前記水平方向噴出角度θ１は５〜８５°の範囲にあることが好ましく、他方、前記各噴出孔から前記高温ガス通路へ噴出される前記冷却媒体の噴出方向と前記壁面とがなす縦方向噴出角度θ２は５〜８５°の範囲にあることが好ましい。また、前記１対の噴出孔の、前記壁面に臨む開口における、前記振り分け部を除いた形状が、それぞれ、前記噴出方向を長軸とするほぼ楕円形状であり、これら２つの楕円形状の中心間隔が、前記供給通路の孔径Ｄに対して０〜２Ｄに設定されていることが好ましい。さらに、前記供給通路の長さＬ１が、前記供給通路の孔径Ｄに対して０〜１０Ｄに設定されていることが好ましく、また、前記供給通路の出口から前記１対の噴出孔の前記壁面に臨む開口までの距離Ｌ２が、前記供給通路の孔径Ｄに対して０．５〜６Ｄに設定されていることが好ましい。これら好ましい構成によれば、壁面に向かう強い渦が生成されて、壁面をより効果的に冷却できる。
【発明の効果】
【００１１】
本発明によれば、高温ガスに曝される壁面上における冷却媒体の剥離を抑制して壁面上に良好なフィルム流を生成することができ、これにより壁面の冷却を効率的に行うことができる。
【図面の簡単な説明】
【００１２】
【図１】本発明の一実施形態にかかるフィルム冷却構造を適用した高温ガスに曝される壁面の一部を示す平面図である。
【図２】各対の噴出孔が形成された壁面を拡大して示す平面図である。
【図３】図１の冷却構造の概略構成を示す斜視図である。
【図４】図２のIV-IV線に沿った断面図である。
【図５】図１の冷却構造に設けられた振り分け部の作用を示す平面図である。
【図６】壁面の外表面に形成される冷却媒体の流れを説明する図である。
【図７】壁面に得られるフィルム効率の等値線図である。
【図８】本発明の実施例を示すタービン動翼の斜視図である。
【図９】同タービン動翼の縦断面図である。
【図１０】図９のX-X線に沿った横断面図である。
【発明を実施するための形態】
【００１３】
以下，本発明の好ましい実施形態を図面に基づいて説明する。
【００１４】
図１は本発明の一実施形態であるダブルジェット式フィルム冷却構造を適用した壁面１の平面図である。壁面１は矢印方向に流れる高温ガスＧに曝されており、この壁面１には、高温ガスＧの通路２に空気のような冷却媒体を噴出する噴出開口３が、高温ガスＧの流れ方向にほぼ直交する方向（図１の上下方向）に複数並べて配置されている。なお、以下の説明において、高温ガスＧの流れ方向に沿った上流側を前側と呼び、下流側を後側と呼ぶ。
【００１５】
各噴出開口３は、上下方向に並べて配置された１対をなす第１および第２噴出孔５ａ，５ｂを含んでいる。これら各対の噴出孔５ａ，５ｂは、ドリルなどにより壁面１に対して斜め方向から開孔された円孔であり、壁面１上では、後に詳述する楕円形状に開口している。各対の噴出孔５ａ，５ｂは、図２の拡大正面図に示すように、噴出孔５ａ，５ｂから噴出される冷却媒体Ｃの噴出方向Ａ，Ｂが、壁面１に沿った面上で、つまり壁面１と直交する方向から見た平面視で、互いに異なる方向を指向するように形成されている。その結果、両冷却媒体Ｃ，Ｃは互いに離間する方向に噴出される。
【００１６】
壁面１の壁内には、各対の両噴出孔５ａ，５ｂに冷却媒体Ｃを供給する単一の供給通路７が形成されている。供給通路７は、円形の横断面を有し、壁面１の壁内で、噴出開口３から前方（上流側）に傾斜して延びている。供給通路７の後端から、横断面円形の２つの分岐通路７１，７２が分岐しており、分岐通路７１，７２の壁面１上の開口が噴出孔５ａ，５ｂとなっている。各対の噴出孔５ａ，５ｂは、両噴出孔５ａ，５ｂの中間を通り、高温ガスＧの進行方向に平行でかつ壁面１に直交する仮想平面ＩＰに対して対称に形成されている。
【００１７】
斜視図である図３に明示するように、各対の噴出孔５ａ、５ｂの間には、これら噴出孔５ａ，５ｂの後端５ａａ，５ｂｂよりも前方に、振り分け部９が設けられている。図２に示すように、供給通路７は直線通路であり、その通路中心線が前記仮想平面ＩＰ上に位置している。図２のIV-IV線に沿った断面図である図４に示すように、振り分け部９は、供給通路７から供給される冷却媒体Ｃの進行方向上に位置して、冷却媒体Ｃの一部が衝突する曲がりのない平坦な壁面として形成されている。より具体的には、振り分け部９は、供給通路７からの冷却媒体Ｃの進入方向と直交する仮想直交面ＶＰに対し、進入方向と直交する軸心Ｚ回りに後方へ、傾斜角度αで傾斜している。
【００１８】
図２〜４に示した各対の噴出孔５ａ，５ｂから噴出される冷却媒体Ｃは、相互に影響し合い、相手方を壁面１に押し付けるように作用する。その様子を、図５、６を参照しながら説明する。図４に示すように、供給通路７を通過した冷却媒体Ｃは、壁面１と直交する方向から見た平面視で、両縁部寄りとなる領域を流れる成分Ｃ１，Ｃ２が、振り分け部９によって分離された各噴出孔５ａ，５ｂに流入し、各噴出孔５ａ，５ｂが延在する方向を指向する直進的な冷媒流Ｆ１，Ｆ２として高温ガス通路２に噴出される。特に、噴出孔５ａ，５ｂの後端５ａａ，５ｂａが振り分け部９よりも後方に位置しているので、噴出孔５ａ，５ｂの振り分け部９よりも後方に位置する部分から噴出される直進冷媒流Ｆ１，Ｆ２は、指向性の高い流れとして形成される。
【００１９】
一方、供給通路７を通過した冷却媒体Ｃのうちの、中央部を流れる成分Ｃ３は、振り分け部９に衝突する。振り分け部９に衝突した中央成分Ｃ３の大部分は、上述のように後方に傾斜した平坦面として形成されている振り分け部９に沿って、そのまま中央成分Ｃ３の流れ方向、つまり高温ガスＧの流れ方向に沿った分離流Ｆ３となって振り分け部９から流出する。この分離流Ｆ３は、直進冷媒流Ｆ１，Ｆ２の間に入って、直進冷媒流Ｆ１，Ｆ２を分離する作用を持つ。中央成分Ｃ３の一部は両噴出孔５ａ，５ｂに向かう混入流Ｆ４，Ｆ５となり、直進冷媒流Ｆ１，Ｆ２に混入される。
【００２０】
高温ガス通路２の、高温ガスＧの流れ方向と直交する横断面を図６に示す。振り分け部９からの分離流Ｆ３により、指向性の高い直進冷媒流Ｆ１とＦ２とが壁面１に平行な方向に分離される結果、直進冷媒流Ｆ１，Ｆ２間に強い低圧部１１が発生する。これにより、各直進冷媒流Ｆ１，Ｆ２の内側部、つまり互いに対向する部分に、壁面１へ向かう流れが生じる。その結果、直進冷媒流Ｆ１，Ｆ２に、内側で壁面１へ向かって冷却媒体Ｃを巻き込むような互いに逆方向の渦流Ｓ１，Ｓ２が発生する。これらの渦流Ｓ１，Ｓ２は、それぞれ、直進冷媒流Ｆ１，Ｆ２を壁面１に押し付けるように作用する。
【００２１】
低圧部１１を効果的に発生させることにより渦流Ｓ１，Ｓ２を形成して、冷却媒体Ｃを壁面１に押し付ける作用を発揮するために、２つの噴出孔５ａ，５ｂは互いに適切な距離だけ離間して配設される必要がある。図２に示すように、壁面１に臨む噴出開口３における振り分け部９を除いた各対の噴出孔５ａ，５ｂの形状は、それぞれ、噴出方向Ａ，Ｂを長軸とするほぼ楕円状に形成されている。噴出孔５ａと５ｂとは、供給通路７の孔径をＤとして、噴出孔５ａ，５ｂの両楕円の中心Ｏ１，Ｏ２間の距離Ｗが０Ｄ〜２Ｄとなるように配置されることが好ましく、中心間距離Ｗが０．５Ｄ〜１．５Ｄの範囲にあることがより好ましい。本実施形態における中心間距離Ｗは、１．３Ｄに設定されている。
【００２２】
また、各対の噴出孔５ａ，５ｂから高温ガス通路２へ噴出される冷却媒体Ｃの噴出方向の壁面１に平行な成分、すなわち、壁面１と直交する方向から見て、噴出孔５ａ，５ｂの楕円形状の長軸方向と、高温ガスＧの流れ方向とがなす水平方向噴出角度θ１は、５〜８５°の範囲にあることが好ましく、２５〜３５°の範囲にあることがより好ましい。本実施形態における水平方向噴出角度θ１は、約３０°に設定されている。他方、図３に示すように、各対の噴出孔５ａ，５ｂから高温ガス通路２へ噴出される冷却媒体Ｃの噴出方向と壁面１とがなす縦方向噴出角度θ２は、５〜８５°の範囲にあることが好ましく、２０〜４０°の範囲にあることがより好ましい。本実施形態における縦方向噴出角度θ２は、約３０°に設定されている。
【００２３】
さらに、壁面１の壁内、つまり壁面１を形成する壁１５の一部における供給通路７の長さＬ１と、供給通路７の出口７ａ（供給通路７と分岐通路７１，７２との境界）から噴出開口３までの距離Ｌ２の比は、Ｌ１：Ｌ２＝３〜５：２〜４の範囲にあることが好ましく、３．５〜４．５：２．５〜３．５の範囲にあることが特に好ましい。本実施形態においては、Ｌ１：Ｌ２＝３：２に設定されている。また、供給通路長さＬ１は、供給通路７の孔径Ｄとの関係において、０Ｄ〜１０Ｄの範囲にあることが好ましく、１Ｄ〜５Ｄの範囲にあることがより好ましい。一方、供給通路−噴出開口間距離Ｌ２は、０．５Ｄ〜６Ｄの範囲にあることが好ましく、１Ｄ〜４Ｄの範囲にあることがより好ましい。これらの範囲を外れると、直進冷媒流Ｆ１，Ｆ２の直進性が不十分となり、所望の強さの渦流Ｓ１，Ｓ２が得られない。なお、供給通路長さＬ１および供給通路−噴出開口間距離Ｌ２は、いずれも、供給通路７の軸心に沿った長さおよび距離である。本実施形態では、供給通路長さＬ１を３Ｄ、供給通路−噴出開口間距離Ｌ２を２Ｄに設定している。実験によれば、Ｌ１、Ｌ２をこのように設定した場合、フィルム効率が従来に比べて２倍〜３倍に向上した。
【００２４】
さらに、仮想直交面ＶＰに対する振り分け部９の傾斜角度αは、３０〜８５°の範囲にあることが好ましく、６０〜８０°の範囲にあることがより好ましい。本実施形態において、傾斜角度αは７０°に設定されている。振り分け部９を平坦面として形成し、かつ、傾斜角度αをこのように設定することにより、振り分け部９から流出する分離流Ｆ３の量が適切となり、直進冷媒流Ｆ１とＦ２との分離が効果的になされる。その結果、図５の直進冷媒流Ｆ１，Ｆ２間に、確実に低圧部が形成され、渦流Ｓ１，Ｓ２が、一層強力に冷却媒体Ｃの流れを壁面１に押し付ける。ただし、振り分け部９は平坦面でなく、若干後方へ凹入した湾曲面として形成してもよい。
【００２５】
以上の冷却構造によれば、図６に示すように、各対の噴出孔５ａ，５ｂからの冷却媒体Ｃが、低圧部１１に巻き込まれた渦流Ｓ１，Ｓ２によって壁面１に押し付けられて、壁面１の広い範囲に接触し、冷却媒体Ｃのフィルム流が形成される。このようにして冷却媒体Ｃが壁面１から剥離することが抑制され、壁面１上におけるフィルム効率が高められて、壁面１が効果的に冷却される。図７は、図２に示す噴出孔５ａ，５ｂを形成した場合に、壁面１上に得られるフィルム効率ηf,adの等値線図を示している。同図から明らかなように、各噴出孔５ａ，５ｂから噴出される冷却媒体Ｃは、その下流域に、フィルム効率１．０の領域を、その周りにはフィルム効率０．８の領域を、さらに、その周りにはフィルム効率０．６の領域を、それぞれ広域にわたって形成している。このような極めて高いフィルム効率を有する冷却媒体Ｃのフィルム流を壁面１に形成することにより、冷却媒体Ｃの壁面１からの剥離が阻止されて壁面１の効率的な冷却が行われる。
【実施例】
【００２６】
図８ないし図１０は、本発明をガスタービンのタービン翼に適用した実施例を示す。ガスタービンは、空気を圧縮する圧縮機、圧縮機からの圧縮空気に燃料を供給して燃焼させる燃焼器、燃焼器からの高温、高圧の燃焼ガスにより駆動されるタービンとを備えている。前記タービンは、図９に示すタービンディスク２１の外周に多数の動翼２３を植設したものである。図８に示す動翼２３の翼面（壁面１）における前縁２５から若干後方寄りの部分に、６対の噴出孔５ａ，５ｂが径方向に並べて配置されており、これら噴出孔５ａ，５ｂが、隣接する動翼２３間の高温ガス（燃焼ガス）通路２に臨んでいる。
【００２７】
動翼２３の内部には、図９に示す折り返した冷却媒体通路２７が形成されており、この冷却媒体通路２７の中途部に噴出孔５ａ，５ｂが連通している。圧縮機から抽気された空気からなる冷却媒体Ｃが、タービンディスク２１内の通路から冷却媒体通路２７に導入され、噴出孔５ａ，５ｂから噴射されたのち、翼端２９に開口させた噴出孔３１から通路２内に噴出される。こうして、図１０に示す壁面１である翼面に開口した噴出孔５ａ，５ｂから噴射される冷却媒体Ｃにより、翼面１上に冷却媒体Ｃのフィルム流ＣＦが形成されて、動翼２３が効果的に冷却される。
【００２８】
上記実施例では、複数対の噴出孔５ａ，５ｂを、上下方向１列に等間隔に並べて配置した例について説明したが、複数対の噴出孔５ａ，５ｂの数および配置は適宜選択してよい。例えば、複数対の噴出孔５ａ，５ｂを径方向に等間隔に並べた列を、前後方向に離して２列設けて、前側の列の各対の噴出孔５ａ，５ｂの径方向位置と、後側の列の各対の噴出孔５ａ，５ｂの径方向位置とをずらして配置してもよい。
【００２９】
本発明は、ガスタービンの動翼のほかに、静翼、燃焼器の内筒などのように、高温ガスの通路に臨む壁面に対して広く適用できる。
【００３０】
以上のとおり、図面を参照しながら本発明の好適な実施形態を説明したが、本発明の趣旨を逸脱しない範囲内で、種々の追加、変更または削除が可能である。したがって、そのようなものも本発明の範囲内に含まれる。
【符号の説明】
【００３１】
１  壁面
２  高温ガス通路
５ａ，５ｂ  １対の噴出孔
７  供給通路
９  振り分け部
Ａ，Ｂ  冷却媒体の噴出方向
Ｓ１，Ｓ２  渦流
Ｃ  冷却媒体
Ｄ  供給通路の孔径
Ｇ  高温ガス
θ１  水平方向噴出角度
θ２  縦方向噴出角度
【図１】
2011196360.tif 000003
【図２】
2011196360.tif 000004
【図３】
2011196360.tif 000005
【図４】
2011196360.tif 000006
【図５】
2011196360.tif 000007
【図６】
2011196360.tif 000008
【図７】
2011196360.tif 000009
【図８】
2011196360.tif 000010
【図９】
2011196360.tif 000011
【図１０】
2011196360.tif 000012